(57)【要約】  吸入に応じて駆動される流動体ディスペンサ装置であって、貯蔵器（１００）と、流動体を選択的に投与するバルブ（２００）とを備え、流動体ディスペンサ装置は、さらに、第一に、休止位置と駆動準備位置との間を移動可能であり、第二に、圧縮されたスプリングにより駆動準備位置と投与位置との間を移動可能である、一連の歯（８１０）を含む打ち金部材（８００）と、駆動準備位置にある打ち金部材をブロックするブロック手段（５００）と、吸入によってブロック手段によるブロックが解除されるように制御されるトリガーシステムと、貯蔵器を嵌め付け、カム孔（１００３）を有する貯蔵器支持部材（１０００）と、打ち金部材の歯と協働する歯状突起（９１０）およびカム孔と協働するカムピン（９２０）を含むメッシュホイール（９００）とを備え、歯状突起は、メッシュホイールの回転軸に対して実質的に中央に位置し、カムピンは、回転軸に対して実質的に偏芯しており、メッシュホイールは、打ち金部材が駆動準備位置から投与位置へ向けて移動する時に１回転し、カムピンは円運動して、貯蔵器支持部材に、バルブを駆動するための軸移動および当該バルブを休止位置に戻すための反対方向への軸移動を伴う往復軸方向移動を行わせる。【選択図】  図１
2017535351.tif 000002
【特許請求の範囲】
【請求項１】
吸入に応じて駆動される流動体ディスペンサ装置であって、
流動体およびプロペラントガスを収容する流動体貯蔵器（１００）と、
前記貯蔵器（１００）上に組み付けられる、前記流動体を選択的に投与するメータリングバルブ（２００）とを備え、
前記流動体ディスペンサ装置は、さらに、
第一に、スプリング（７０）を圧縮することにより休止位置と駆動準備位置との間を移動可能であり、第二に、前記圧縮されたスプリングの力により前記駆動準備位置と投与位置との間を軸方向に移動可能である打ち金部材（８００）と、
前記駆動準備位置にある前記打ち金部材をブロックするブロック手段（５００）と、
吸入によって前記ブロック手段（５００）によるブロックが解除されるように制御されるトリガーシステムとを備え、
前記打ち金部材（８００）は一連の歯（８１０）を含み、
前記流動体ディスペンサ装置は、さらに、
前記貯蔵器（１００）を嵌め付け、カム孔（１００３）を有する貯蔵器支持部材（１０００）と、
歯状突起（９１０）およびカムピン（９２０）を含むメッシュホイール（９００）とを備え、
前記歯状突起（９１０）は、前記打ち金部材（８００）の前記歯（８１０）と協働するように構成され、前記メッシュホイール（９００）の回転軸に対して実質的に中央に位置し、
前記カムピン（９２０）は、前記貯蔵器支持部材（１０００）の前記カム孔（１００３）と協働するように構成され、前記回転軸に対して実質的に偏芯しており、
前記打ち金部材（８００）が前記駆動準備位置から前記投与位置へ向けて移動する時に前記メッシュホイール（９００）が１回転するように、前記メッシュホイール（９００）は前記打ち金部材（８００）と協働し、前記カムピン（９２０）は円運動して、前記貯蔵器支持部材（１０００）に、前記バルブ（２００）を駆動するための第一の軸移動および当該バルブを休止位置に戻すための反対方向への第二の軸移動を伴う往復軸方向移動を行わせる
ことを特徴とする流動体ディスペンサ装置。
【請求項２】
前記流動体ディスペンサ装置は、さらに、
前記打ち金部材（８００）と協働する駆動部材（５０）を備え、
当該駆動部材（５０）は、
前記打ち金部材（８００）を前記休止位置から前記駆動準備位置へ移動させるためのカム面（５１）を有し、
前記駆動準備位置において、吸入が行われるまで前記ブロック手段（５００）と協働して前記打ち金部材（８００）を当該駆動準備位置に保持し、
前記ブロック手段（５００）によるブロックが解除されて前記バルブ（２００）が駆動すると、前記打ち金部材（８００）により投与位置へ向けて移動させられる
ことを特徴とする請求項１に記載の流動体ディスペンサ装置。
【請求項３】
前記ブロック手段（５００）は、
ブロック位置において前記駆動手段（５０）の突起部（５９）と協働するラッチ（５０１）を含む
ことを特徴とする請求項２に記載の流動体ディスペンサ装置。
【請求項４】
吸入によって制御される前記トリガーシステムは、
吸入中に変形する可変エアチャンバー（６０）を備え、
当該可変エアチャンバー（６０）は、ピボットロッドなどのトリガー部材（６００）に嵌め付けられる
ことを特徴とする請求項１乃至３のいずれかに記載の流動体ディスペンサ装置。
【請求項５】
前記ブロック手段（５００）は、前記トリガー部材（６００）に固定される
ことを特徴とする請求項４に記載の流動体ディスペンサ装置。
【請求項６】
前記貯蔵器支持部材（１０００）は、前記本体（１０）に固定される支持板（１１００）と協働する
ことを特徴とする請求項１乃至５のいずれかに記載の流動体ディスペンサ装置。
【請求項７】
前記支持板（１１００）は、
前記貯蔵器支持部材（１０００）の保持傾斜面（１００４）と協働するように構成される保持部材（１１０４）を含む
ことを特徴とする請求項６に記載の流動体ディスペンサ装置。
【請求項８】
前記支持板（１１００）は、
前記貯蔵器支持部材（１０００）のガイドピン（１００５）と協働するように構成される直線状のガイドスプライン（１１０５）を含む
ことを特徴とする請求項６または７に記載の流動体ディスペンサ装置。
【発明の詳細な説明】
【技術分野】
【０００１】
本発明は、吸入により駆動する流動体ディスペンサ装置に関し、より具体的には、呼吸反応によるエアゾール型吸入装置に関する。
【背景技術】
【０００２】
呼吸駆動式吸入器（Ｂｒｅａｔｈ  Ａｃｔｕａｔｅｄ  Ｉｎｈａｌｅｒ  ＢＡＩ）は、従来技術において公知である。この種の装置の主な利点は、患者の吸入に液体投与が同期されるため、正確な液体投与が保証されることにある。したがって、エアゾール型装置、すなわち高圧ガスを用いた液体投与装置の分野では、多種の呼吸駆動式吸入器が提案されてきた。しかしながらこれら装置は、部品数が多いために製造および組み立てが複雑かつ高価であるという、明らかに不利な欠点を有する。また、提示する動作閾値が高くなり過ぎないようにしたり、偶発的または不所望な操作を防止するのに十分に安定したラッチを含んだりしなければ、吸入ごとの信頼性あるトリガー間における適正な均衡点を見出すことも困難である。特許文献１〜３には、この種の先行技術における装置が開示される。
【先行技術文献】
【特許文献】
【０００３】
【特許文献１】米国特許第３１５７１７９号
【特許文献２】国際公開番号第ＷＯ９９／４４６６２号
【特許文献３】英国特許第２４６１１５３号
【発明の概要】
【発明が解決しようとする課題】
【０００４】
本発明の目的は、上述した欠点のない呼吸駆動式吸入器を提供することである。
本発明の別の目的は、呼吸ごとの駆動を保証することにより動作信頼性が改善された呼吸駆動式吸入器を提供することである。
本発明の別の目的は、偶発的または不所望な操作の危険性を最小限に抑えた呼吸駆動式吸入器を提供することである。
【０００５】
本発明の別の目的は、提示する動作閾値が高くなり過ぎないようにすることにより、病人や高齢者などの比較的弱者が安全に信頼して使用できる呼吸駆動式吸入器を提供することである。
本発明の別の目的は、簡素かつ安価に製造および組み立てができる呼吸駆動式吸入器を提供することである。
【課題を解決するための手段】
【０００６】
本発明は、吸入に応じて駆動される流動体ディスペンサ装置であって、流動体およびプロペラントガスを収容する流動体貯蔵器と、前記貯蔵器上に組み付けられる、前記流動体を選択的に投与するメータリングバルブとを備え、前記流動体ディスペンサ装置は、さらに、第一に、スプリングを圧縮することにより休止位置と駆動準備位置との間を移動可能であり、第二に、前記圧縮されたスプリングの力により前記駆動準備位置と投与位置との間を軸方向に移動可能である打ち金部材と、前記駆動準備位置にある前記打ち金部材をブロックするブロック手段と、吸入によって前記ブロック手段によるブロックが解除されるように制御されるトリガーシステムとを備え、前記打ち金部材は一連の歯を含み、前記流動体ディスペンサ装置は、さらに、前記貯蔵器を嵌め付け、カム孔を有する貯蔵器支持部材と、歯状突起およびカムピンを含むメッシュホイールとを備え、前記歯状突起は、前記打ち金部材の前記歯と協働するように構成され、前記メッシュホイールの回転軸に対して実質的に中央に位置し、前記カムピンは、前記貯蔵器支持部材の前記カム孔と協働するように構成され、前記回転軸に対して実質的に偏芯しており、前記打ち金部材が前記駆動準備位置から前記投与位置へ向けて移動する時に前記メッシュホイールが１回転するように、前記メッシュホイールは前記打ち金部材と協働し、前記カムピンは円運動して、前記貯蔵器支持部材に、前記バルブを駆動するための第一の軸移動および当該バルブを休止位置に戻すための反対方向への第二の軸移動を伴う往復軸方向移動を行わせる。
【０００７】
前記流動体ディスペンサ装置は、さらに、前記打ち金部材と協働する駆動部材を備え、当該駆動部材は、前記打ち金部材を前記休止位置から前記駆動準備位置へ移動させるためのカム面を有し、前記駆動準備位置において、吸入が行われるまで前記ブロック手段と協働して前記打ち金部材を当該駆動準備位置に保持し、前記ブロック手段によるブロックが解除されて前記バルブが駆動すると、前記打ち金部材により投与位置へ向けて移動させられることが望ましい。
【０００８】
前記ブロック手段は、ブロック位置において前記駆動手段の突起部と協働するラッチを含むことが望ましい。
吸入によって制御される前記トリガーシステムは、吸入中に変形する可変エアチャンバーを備え、当該可変エアチャンバーは、ピボットロッドなどのトリガー部材に嵌め付けられることが望ましい。
【０００９】
前記ブロック手段は、前記トリガー部材に固定されることが望ましい。
前記貯蔵器支持部材は、前記本体に固定される支持板と協働することが望ましい。
前記支持板は、前記貯蔵器支持部材の保持傾斜面と協働するように構成される保持部材を含むことが望ましい。
前記支持板は、前記貯蔵器支持部材のガイドピンと協働するように構成される直線状のガイドスプラインを含むことが望ましい。
【図面の簡単な説明】
【００１０】
本発明の特徴および利点ならびにその他の事項は、非限定的な例として以下に示す詳細な説明および添付図面を参照することによって、より明確となる。
【図１】（ａ）、（ｂ）は、本発明の望ましい実施形態における、休止位置にある呼吸駆動式吸入器を示す２つの部分断面図である。
【図２】図１（ｂ）の詳細を示す図であって、休止位置にあるロッキングラッチを示す。
【図３】図１（ｂ）の詳細を示す図であって、休止位置にある打ち金システムを示す。
【図４】（ａ）、（ｂ）は、図１（ａ）および図１（ｂ）に類似する２つの図であって、駆動準備位置にある場合に示す。
【図５】図２に類似する図であって、駆動準備位置にある場合を示す。
【図６】図３に類似する図であって、駆動準備位置にある場合を示す。
【図７】メッシュホイールの詳細を示す図であって、駆動準備位置にある場合を示す。
【図８】貯蔵器支持部材のカムにおけるメッシュホイールのピンの詳細を示す図であって、駆動準備位置にある場合を示す。
【図９】（ａ）、（ｂ）は、図４（ａ）および図４（ｂ）に類似する２つの図であって、ブロックが解除された位置にあり、スライダーの軸ストロークの４分の１終了後である場合を示す。
【図１０】図７に類似する図であって、ブロックが解除された位置にあり、スライダーの軸ストロークの４分の１終了後である場合を示す。
【図１１】図８に類似する図であって、ブロックが解除された位置にあり、スライダーの軸ストロークの４分の１終了後である場合を示す。
【図１２】（ａ）、（ｂ）は、図９（ａ）および図９（ｂ）に類似する図であって、ブロックが解除された位置にあり、スライダーの軸ストロークの２分の１の終了後である場合を示す。
【図１３】図５に類似する図であって、ブロックが解除された位置にあり、スライダーの軸ストロークの２分の１終了後である場合を示す。
【図１４】図６に類似する図であって、ブロックが解除された位置にあり、スライダーの軸ストロークの２分の１終了後である場合を示す。
【図１５】図１０に類似する図であって、ブロックが解除された位置にあり、スライダーの軸ストロークの２分の１終了後である場合を示す。
【図１６】図１１に類似する図であって、ブロックが解除された位置にあり、スライダーの軸ストロークの２分の１終了後である場合を示す。
【図１７】（ａ）、（ｂ）は、図１２（ａ）および図１２（ｂ）に類似する図であって、ブロックが解除された位置にあり、スライダーの軸ストロークの４分の３終了後である場合を示す。
【図１８】図１５に類似する図であって、ブロックが解除された位置にあり、スライダーの軸ストロークの４分の３終了後である場合を示す。
【図１９】図１６に類似する図であって、ブロックが解除された位置にあり、スライダーの軸ストロークの４分の３終了後である場合を示す。
【図２０】（ａ）、（ｂ）は、図１７（ａ）および図１７（ｂ）に類似する図であって、投与位置にあり、スライダーの軸ストロークの１回分終了後である場合を示す。
【図２１】図１３に類似する図であって、投与位置にあり、スライダーの軸ストロークの１回分終了後である場合を示す。
【図２２】図１４に類似する図であって、投与位置にあり、スライダーの軸ストロークの１回分終了後である場合を示す。
【図２３】図１８に類似する図であって、投与位置にあり、スライダーの軸ストロークの１回分終了後である場合を示す。
【図２４】図１９に類似する図であって、投与位置にあり、スライダーの軸ストロークの１回分終了後である場合を示す。
【図２５】本発明の望ましい実施形態におけるメッシュホイールの側面図である。
【図２６】本発明の望ましい実施形態における図２５に示すメッシュホイールの平面図である。
【図２７】本発明の望ましい実施形態における貯蔵器支持部材の平面図である。
【図２８】本発明の望ましい実施形態における図２７に示す貯蔵器支持部材を下から見た図である。
【図２９】本発明の望ましい実施形態におけるガイドプレートの平面図である。
【発明を実施するための形態】
【００１１】
本明細書において、用語「上」および「下」は、具体的には図１（ａ）における位置を示し、用語「軸方向」は、図１（ａ）における縦中心軸Ａを示すものとする。
本発明は、より具体的には、下記に詳述するとおり、経口投与のエアゾールバルブ型吸入装置に適用するが、鼻用など他の種類の吸入装置にも適用可能である。
図面に本発明の望ましい実施形態を示すが、下記に示す１以上の構成要素を、類似または同一の機能を提供しつつ何らかの方法で実施することが可能である。
【００１２】
図面によれば、吸入装置は本体１０を含む。本体１０上には、２つのカバー部材１１および１２が摺動自在に取り付けられている。カバー部材１１および１２は、吸入装置を開状態にして駆動準備するために、開放できるように構成されている。本体１０は、図示のとおり丸みを帯びた形状であってもよいが、他の適切な形状であってもよい。上本体１３にはマウスピース４００が形成されており、上本体１３は、本体１０に組み付けられている。マウスピース４００は、吐出口の輪郭を規定し、ユーザは吸入装置の駆動中にこれを介して吸入する。吐出口はマウスピース４００のほぼ中央部に配置されるのが一般的である。
【００１３】
カバー部材１１および１２は、共通の支軸を中心に回転することにより、または、平行な２つの軸を中心に互いに係合して回転することにより、開放することができる。吸入装置を開状態にする手段はどのようなものであってもよい。変形例として、２つのカバー部材を用いるのではなく、１つのカバー部材だけを用いてもよい。
本体１０は貯蔵器１００を含む。貯蔵器１００は、投与すべき流動体およびヒドロフルオロアルカン（ＨＦＡ）ガスなどのプロペラントガスを収容する。貯蔵器１００の上には、選択的に液体を投与するためのメータリングバルブ２００が取り付けられている。メータリングバルブ２００は、駆動中に貯蔵器１００に対して軸方向に移動可能なバルブ部材２１０を含む。メータリングバルブ２００は適切であればいずれの種類のものであってもよい。バルブ部材２１０は本体１０に対して固定されていることが望ましく、駆動中に本体１０に対して軸方向に移動するのは貯蔵器１００である。
【００１４】
メータリングバルブ２００のバルブ部材２１０の排出口は、経路３００を介してマウスピース４００の吐出口に連結している。ユーザは、投与される流動体をこの吐出口から吸入する。当然ながら吐出口は、吸入装置を所望に応用した機能として、いずれの形にして設けてもよい。本明細書はマウスピース４００を含む吸入器に言及するものであるが、本発明が、鼻吸入器など他の用途にも適用されることは明白である。
【００１５】
吸入装置は駆動準備システムを含み、当該駆動準備システムは打ち金部材８００を含む。打ち金部材８００は、カバー部材１１および１２の少なくとも一方に固定されており、スプリング７０、望ましくはコイルスプリングに逆らって移動可能であり、初めに図３の休止位置と図８の駆動準備位置との間を、次に当該駆動準備位置と駆動ストロークが終了する投与位置との間を移動可能である。
【００１６】
図２０（ａ）、図２０（ｂ）、図２１、図２２、図２３および図２４にこの投与位置を示す。打ち金部材８００は、一端ではスプリング７０に連結しており、他端では駆動部材５０と協働する。駆動部材５０は、本体１０上で、初めに休止位置と駆動準備位置との間を、次に駆動準備位置と投与位置との間を移動するように、具体的には回転移動するように取り付けられている。駆動部材５０の休止位置、駆動準備位置および投与位置は、打ち金部材８００の休止位置、駆動準備位置および投与位置にそれぞれ対応する。
【００１７】
打ち金部材８００は、好ましくはその一端から軸方向に延伸する一連の歯８１０を含む。
カバー部材１１および１２が開放すると、打ち金部材８００はスプリング７０を圧縮しながら、その休止位置から駆動準備位置に向けて移動する。打ち金部材８００は、駆動準備位置に向けて移動する間に、その長手方向の軸に沿った移動でスプリング７０を圧縮するだけでなく、図１（ｂ）および図４（ｂ）に示すように本体１０に対して回転移動もする。同時に、駆動部材５０もその休止位置から駆動準備位置に向けて移動する。駆動部材５０が駆動準備位置にある間は、ブロック手段５００により移動が阻止される。ブロック手段５００によるブロックは、吸入時のみ解除されるものである。
【００１８】
したがって、カバー部材１１、１２が開位置にあってユーザの吸入が無い場合は、カバー部材１１および１２を閉じると、打ち金部材８００および駆動部材５０が休止位置に戻りスプリング７０が伸張するだけである。よって、カバー部材１１および１２を開閉する間に、ユーザが吸入していないにもかかわらず偶発的または不完全な駆動により有効な１回分の流動体が損なわれるという危険性がない。このようにして、ユーザの吸入時のみバルブ２００が駆動して１回分の流動体を排出することができる。
【００１９】
ブロック手段５００はＬ字型のラッチ５０１を含み、ラッチ５０１は、ブロック位置で駆動部材５０の突起部５９を受け止めるように構成されている。ラッチ５０１は、トリガー部材６００に固定されていること、具体的にはトリガー部材６００と一体化していることが望ましい。トリガー部材６００は例えばロッドであり、本体１０に対して移動可能、具体的には回転移動可能である。トリガー部材６００が移動または回転すると、駆動部材５０の突起部５９に対してラッチ５０１を移動させることにより、ブロック手段５００によるブロックを解除することができる。図２に示すように、休止位置では、ブロック手段５００が駆動部材５０と接触していないことが好ましい。図５に示す駆動準備位置でのみ、ブロック手段５００のラッチ５０１が駆動部材５０と協働して駆動部材５０をブロックして、バルブ２００の駆動を阻止する。
【００２０】
駆動部材５０上にはカム面５１が形成され、カム面５１上を打ち金部材８００が摺動する。打ち金部材８００は、カム面５１上での摺動が容易となるように、カム面５１と接触する部分に円形部分８０１を有することが望ましい。カム面５１は、傾斜が異なる少なくとも２つのカム部分から構成されている。第１部分は、典型的には図１（ａ）の軸Ａに対して傾斜し、スプリング７０を圧縮することにより、打ち金部材８００をその駆動準備位置に向けて移動させるように設けられている。第２部分は、典型的には軸Ａを略横断しており、打ち金部材８００をその駆動準備位置に保持するように設けられている。また、打ち金部材８００が駆動準備位置から投与位置に向けて移動するとき、第２部分は、打ち金部材８００とともに移動するようになっている。
【００２１】
駆動部材５０は、圧縮したスプリング７０の作用を受けた打ち金部材８００により上向き（図面における向き）に移動し、投与位置に至る。
吸入装置は、ユーザの吸入により制御されるトリガーシステムを有する。当該システムは、ユーザがマウスピース４００から吸入する際にメータリングバルブ２００を駆動するためのものである。
【００２２】
トリガーシステムは、吸入に応じて変形可能なエアチャンバー６０を含む。エアチャンバー６０は、ブロック手段５００によるブロックを解除するように構成されている。ユーザの吸入で可変エアチャンバー６０を変形させることにより、ブロック手段５００によるブロックが解除される。これによりバルブ２００を駆動することができる。
エアチャンバー６０は変形可能な膜から構成されていることが望ましい。当該膜は、例えば蛇腹状や袋状やダイヤフラムなどであり、マウスピース４００およびブロック手段５００と、直接的または間接的に連結可能である。したがって、吸入中にエアチャンバー６０は変形および／または収縮することにより、ブロック手段５００をブロック解除位置に移動させることができる。
【００２３】
可変エアチャンバー６０はトリガー部材６００に連結していることが望ましい。トリガー部材６００は、駆動部材５０をブロックするブロック手段５００を支持する。したがって、ユーザの吸入中、可変エアチャンバー６０が変形し、トリガー部材６００を回転移動させることにより、ブロック手段５００によるブロックが解除される。その結果、打ち金部材８００に作用する圧縮されたスプリング７０の力により、駆動部材５０がその投与位置に向けて移動する。このような移動により、バルブ２００が駆動して１回分が投与される。
【００２４】
よって、吸入と同時に吐出口から１回分の流動体が吐出されるように、吸入時のみバルブ２００は駆動する。
吸入装置は、図２５および図２６に具体的に示すように、メッシュホイール９００を含む。メッシュホイール９００は、歯状突起９１０とカムピン９２０を有する。歯状突起９１０は、打ち金部材８００の歯８１０と協働するように構成され、カムピン９２０は、貯蔵器１００またはこれに固定される部分と協働するように構成されている。歯状突起９１０は、実質的にメッシュホイール９００の回転軸の中心に位置する。カムピン９２０は、回転軸に対して偏芯しており、歯状突起９１０の方向に平行な方向に延伸する。図２５からわかるように、歯状突起９１０はディスク９３０の一方の片側から延伸し、カムピン９２０はディスク９３０の他方の片側から延伸する。打ち金部材８００の１回の軸方向のストロークがメッシュホイール９００の１回転と対応するように、歯状突起９１０の歯および打ち金部材８００の歯８１０が形成される。
【００２５】
吸入装置はさらに、貯蔵器支持部材１０００を含む。貯蔵器支持部材１０００はその中に貯蔵器１００を嵌め付ける。特に図２７および図２８に示すように、貯蔵器支持部材１０００は、底壁１００１と、貯蔵器１００を受け止めて保持する半円筒状壁１００２とを含んでもよい。半円筒状壁１００２は、楕円状または長尺状のカム孔１００３、保持傾斜面１００４、および半円筒状壁１００２の両端にガイドピン１００５を有する。カム孔１００３は、メッシュホイール９００のカムピン９２０を受け止める。
【００２６】
吸入装置はまた、本体１０に固定される、すなわち、本体１０に対して移動不可能である支持板１１００を含むことが望ましい。支持板１１００は、貯蔵器支持部材１０００と協働する。貯蔵器支持部材１０００は、支持板１１００に対して平行移動が可能である。支持板１１００は、図２９に示すように、保持部材１１０４および直線状のガイドスプライン１１０５を含む。保持部材１１０４は、貯蔵器支持部材１０００の保持傾斜面１００４と協働するように構成され、直線状のガイドスプライン１１０５は、貯蔵器支持部材１０００のガイドピン１００５と協働するように構成されている。
【００２７】
ユーザが吸入装置の使用のためにカバー部材１１および１２を開放すると、駆動準備システムが駆動する。打ち金部材８００がその駆動準備位置に向けて移動してスプリング７０を圧縮し、軸方向の力が駆動部材５０に作用して駆動部材５０がその投与位置に向けて付勢される。打ち金部材８００がその駆動準備位置に向けて移動する間、駆動部材５０は、ブロック手段５００のラッチ５０１と接触するように移動する。これにより、駆動準備位置において駆動部材５０が保持されてその投与位置への移動が完全に阻止される。同時に、打ち金部材８００の歯８１０は、メッシュホイール９００の歯状突起９１０と係合する。このように、駆動準備段階において、本体１０に対して固定されたままの貯蔵器１００には何ら作用しない。図４（ａ）、図４（ｂ）、図５、図６、図７および図８に示す駆動準備位置では、吸入装置は待機位置にある。
【００２８】
ユーザがマウスピース４００から吸入すると、可変エアチャンバー６０が変形し、これによりエアチャンバー６０に固定されるトリガー部材６００が回転移動する。トリガー部材６０が移動するとラッチ５０１が駆動部材５０の突起部５９に対して回転移動し、これによりブロック手段５００によるブロックが解除される。スプリング７０の作用により、打ち金部材８００が軸方向上向きに移動して、図９（ａ）〜図２４に示すように、駆動部材５０を軸方向上向きに押し出す。
【００２９】
打ち金部材８００が軸方向に移動することにより、メッシュホイール９００が回転する。メッシュホイール９００のカムピン９２０は、回転軸に対して偏芯しているため、具体的にはディスク９３０の周縁に近接して配置されているため、メッシュホイール９００の回転中に、円運動する。図７、図１０、図１５、図１８および図２３は、メッシュホイール９００の回転の開始時、４分の１終了後、２分の１終了後、４分の３終了後および完全終了後における、カムピン９２０の位置をそれぞれ詳細に示す。
【００３０】
カムピン９２０は貯蔵器支持部材１０００のカム孔１００３内に配置されているため、カムピン９２０が円運動すると、図８、図１１、図１６、図１９および図２４に詳細に示すように、第１にカム孔１００３内で横向きに移動する。第２に貯蔵器支持部材貯蔵器支持部材１０００とともに、本体１０に対して、ひいてはバルブ手段２１０に対して軸方向に移動する。
【００３１】
ガイドピン１００５とガイドスプライン１１０５とが協働することによって、貯蔵器支持部材１０００は支持板１１００に対して平行移動のみが可能である。また、保持部材１１０４と保持傾斜面１００４とが協働することによっても、貯蔵器支持部材１０００は支持板１１００に対して平行移動のみが可能である。
その結果、打ち金部材８００の最初の半分の軸方向のストロークで、すなわち、メッシュホイール９００の最初の半分の回転で、カムピン９２０が貯蔵器支持部材１０００を移動させることにより、貯蔵器１００が軸方向に上昇する。これにより、バルブ２００が駆動する。打ち金部材８００の次の半分の軸方向のストロークで、すなわち、メッシュホイール９００の次の半分の回転で、カムピン９２０が開始位置に戻り、貯蔵器支持部材１０００を貯蔵器１００とともに軸方向下向きに移動させる。これにより、バルブ２００が休止位置に戻る。
【００３２】
したがって、打ち金部材８００の１ストロークひいてはメッシュホイール９００の１回転は、貯蔵器１００とバルブ２００のバルブ部材２１０との間の相対的な往復運動を伴う、バルブ２００の１回の駆動サイクルに対応する。
打ち金部材８００の投与位置、すなわち、軸方向のストロークの端部は、図２１に示すように、駆動部材５０の突起部５９と本体１０に固定された部分１９との当接により定義される。
【００３３】
ユーザは、吸入を終えるとカバー部材１１および１２を閉じて吸入装置を休止位置に戻し、以降の使用に備える。
なお、実施形態に基づき本発明を説明したが、当然ながら、請求項によって定義されるように、本発明の範囲を超えることなく、当業者により変形例を適用可能である。
【図１】
2017535351.tif 000003
【図２】
2017535351.tif 000004
【図３】
2017535351.tif 000005
【図４】
2017535351.tif 000006
【図５】
2017535351.tif 000007
【図６】
2017535351.tif 000008
【図７】
2017535351.tif 000009
【図８】
2017535351.tif 000010
【図９】
2017535351.tif 000011
【図１０】
2017535351.tif 000012
【図１１】
2017535351.tif 000013
【図１２】
2017535351.tif 000014
【図１３】
2017535351.tif 000015
【図１４】
2017535351.tif 000016
【図１５】
2017535351.tif 000017
【図１６】
2017535351.tif 000018
【図１７】
2017535351.tif 000019
【図１８】
2017535351.tif 000020
【図１９】
2017535351.tif 000021
【図２０】
2017535351.tif 000022
【図２１】
2017535351.tif 000023
【図２２】
2017535351.tif 000024
【図２３】
2017535351.tif 000025
【図２４】
2017535351.tif 000026
【図２５】
2017535351.tif 000027
【図２６】
2017535351.tif 000028
【図２７】
2017535351.tif 000029
【図２８】
2017535351.tif 000030
【図２９】
2017535351.tif 000031
【国際調査報告】
2017535351.tif 000032
2017535351.tif 000033
2017535351.tif 000034
2017535351.tif 000035
2017535351.tif 000036
2017535351.tif 000037
2017535351.tif 000038
2017535351.tif 000039